(57)【要約】【課題】タイルとデッキ本体とを簡単かつ強固に固定することができ、かつ、耐久性のあるタイルデッキを提供すること。【解決手段】ポリオレフィン系樹脂製のデッキ本体１の上にタイル２を固定するに際し、デッキ本体１にタイル２側に貫通する係止孔３を形成し、この係止孔３に機械的に係合する固定片４を配設するとともに、固定片４の先端に形成した接着面５とタイル２とを接着剤６で接着することにより、タイル２とデッキ本体１とを分離不可能に固定する。【選択図】  図１
2004232327.tif 000002
【特許請求の範囲】
【請求項１】
ポリオレフィン系樹脂製のデッキ本体の上に陶磁器質のタイルを固定するタイルデッキにおいて、前記デッキ本体にタイル側に貫通する係止孔を形成し、該係止孔に機械的に係合する固定片を配設するとともに、該固定片とタイルとを接着剤を介して接着し、タイルとデッキ本体とを分離不可能に固定するようにしたことを特徴とするタイルデッキ。
【請求項２】
前記固定片の先端に接着面を形成し、該接着面とタイルとを接着するようにしたことを特徴とする請求項１記載のタイルデッキ。
【発明の詳細な説明】
【０００１】
【発明の属する技術分野】
本発明は、ポリオレフィン系樹脂製のデッキ本体の上にタイルを固定するタイルデッキに関し、特に、タイルとデッキ本体とを簡単かつ強固に固定することができるタイルデッキに関するものである。
【０００２】
【従来の技術】
従来、バルコニーやベランダ等に敷設されるタイルフロアは、下地材上にタイルを所定配列状態に並べて、モルタルや接着剤などにてこれを下地材に固着する構造となっている。
したがって、施工が大変で作業に熟練を要し、工期も長くかかるなどの問題がある。
【０００３】
そこで、樹脂製のデッキ本体の上面に複数枚のタイルを整列配置し、接着剤で接合したタイルデッキが用いられようとしているが、環境面等を配慮したポリオレフィン系樹脂等の極性のない樹脂から作ったデッキ本体と陶磁器質のタイルとを強力に接着できる接着剤は上市されていない。
【０００４】
ところで、この問題に対処するために、樹脂製のデッキ本体に接着剤を係止する係止部を備えた接着剤溜め部を形成するようにしたタイルデッキが提案され、実用化されている（特許文献１参照）。
【０００５】
しかしながら、このタイルデッキの場合、樹脂製のデッキ本体に対して接着力の弱い接着剤を介して、直接陶磁器質のタイルを接着するようにしているため、接着力が弱く、また、接着剤が劣化しやすい使用形態であるため、耐久性にも問題があった。
【０００６】
【特許文献１】
特開平７−４２３４９号公報
【０００７】
【発明が解決しようとする課題】
本発明は、上記従来のタイルデッキが有する問題点に鑑み、タイルとデッキ本体とを簡単かつ強固に固定することができ、かつ、耐久性のあるタイルデッキを提供することを目的とする。
【０００８】
【課題を解決するための手段】
上記目的を達成するため、本発明のタイルデッキは、ポリオレフィン系樹脂製のデッキ本体の上に陶磁器質のタイルを固定するタイルデッキにおいて、前記デッキ本体にタイル側に貫通する係止孔を形成し、該係止孔に機械的に係合する固定片を配設するとともに、該固定片とタイルとを接着剤を介して接着し、タイルとデッキ本体とを分離不可能に固定するようにしたことを特徴とする。
なお、ここでいう係止孔とは、デッキ本体に形成されたタイル側に貫通する切欠状のものも含むものとする。
【０００９】
このタイルデッキは、デッキ本体にタイル側に貫通する係止孔を形成し、該係止孔に機械的に係合する固定片を配設するとともに、該固定片とタイルとを接着剤を介して接着し、タイルとデッキ本体とを分離不可能に固定することから、デッキ本体の接着性が悪くてもタイルとデッキ本体とを簡単かつ強固に固定することができる。
【００１０】
この場合において、前記固定片の先端に接着面を形成し、該接着面とタイルとを接着することができる。
【００１１】
これにより、固定片とタイルを接着剤の接着力により固定し、タイルとデッキ本体とを強固に固定することができる。
【００１２】
【発明の実施の形態】
以下、本発明のタイルデッキの実施の形態を図面に基づいて説明する。
【００１３】
図１〜図２に、本発明のタイルデッキの第１実施例を示す。
このタイルデッキは、ポリエチレン樹脂等のポリオレフィン系樹脂製のデッキ本体１の上にタイル２を固定するもので、前記デッキ本体１にタイル２側に貫通する係止孔３を形成し、該係止孔３に機械的に係合する固定片４を配設するとともに、該固定片４の先端に形成した接着面５とタイル２とを接着剤６で接着することにより、タイル２とデッキ本体１とを分離不可能に固定するようにしている。
【００１４】
デッキ本体１は、多数の縦桟と横桟からなる格子状の部材からなり、縦桟と横桟の交差部に脚部１１が下側に突出形成されている。なお、このデッキ本体１は、複数枚のタイル２を敷設する大きさのものとなっている。
【００１５】
タイル２は、所定の大きさに形成された陶磁器質のものからなり、この実施例では、デッキ本体１の係止孔３に対応する部分が浅く削られている。
【００１６】
係止孔３は、円形の大径部３１のタイル側に、固定片４の大径部４１が係合する小径部３２を形成したものからなり、１枚のタイル２に対して複数個形成されている。
【００１７】
固定片４は、接着性と強度に優れたＡＢＳ樹脂等からなり、係止孔３の大径部３１に嵌合する大径部４１と、該大径部４１の先端側に形成され、係止孔３の小径部３２に嵌合する小径部４２とを備え、これにより、タイル側に抜けないように係止孔３に係合している。
そして、小径部４２の先端に接着面５を形成し、該接着面５とタイル２とを接着するようにしている。
この場合、固定片４の大径部４１や小径部４２を接着剤６によりデッキ本体１に接着することも可能である。
【００１８】
接着剤６としては、例えば、シアノアクリレート系瞬間接着剤等の瞬間接着剤を好適に使用することができ、接着に際しては、タイル２を下にして、接着剤６を塗布した固定片４を上から挿入することが望ましい。
【００１９】
次に、図３を参照して、本発明のタイルデッキの第２実施例を説明する。
このタイルデッキは、ポリエチレン樹脂等のポリオレフィン系樹脂製のデッキ本体１の上にタイル２を固定するもので、前記デッキ本体１にタイル２側に貫通する係止孔３を形成し、該係止孔３に機械的に係合する固定片４を配設するとともに、該固定片４とタイル２とを接着剤６を介して接着し、タイル２とデッキ本体１とを分離不可能に固定するようにしている。
【００２０】
デッキ本体１は、第１実施例と同様に、多数の縦桟と横桟からなる格子状の部材からなり、縦桟と横桟の交差部に脚部１１が下側に突出形成されている。なお、このデッキ本体１は、複数枚のタイル２を敷設する大きさのものとなっている。
また、タイル２は、所定の大きさに形成された陶磁器質のものからなり、この実施例では、デッキ本体１の係止孔３に対応する部分が浅く削られている。
【００２１】
係止孔３は、１枚のタイル２に対して複数個形成されており、また、固定片４は、該係止孔３の縁部３３に係止するフランジ部４３を備えた筒状体からなり、筒状部の内側には、先端側が狭くなる段部４４が形成されている。
そして、図３に示すように、この固定片４の筒状部を介して接着剤６をタイル２側に注入し、固定片４とタイル２とをこの接着剤６を介して接着している。
接着剤６としては、例えば、ポリウレタン系接着剤やポリエステル系、ポリアミド系、エチレン・酢酸ビニル系等のホットメルト接着剤等の充填式接着剤を好適に使用することができ、接着に際しては、タイル２を下にして固定片４を係止孔３に挿入し、接着剤６を固定片４の段部４４にかかるまで充填することができる。
これにより、固化した接着剤６を固定片４の段部４４に係合させて、固定片４と接着剤６の固着力を高めることができる。
【００２２】
かくして、本発明の各実施例のタイルデッキは、デッキ本体１にタイル２側に貫通する係止孔３を形成し、該係止孔３に機械的に係合する固定片４を配設するとともに、該固定片４とタイル２とを接着剤６を介して接着し、タイル２とデッキ本体１とを分離不可能に固定することから、デッキ本体１の接着性が悪くてもタイル２とデッキ本体１とを簡単かつ強固に固定することができる。
そして、固定片４の先端に接着面５を形成し、該接着面５とタイル２とを接着することにより、固定片４とタイル２を接着剤６の接着力により固定し、タイル２とデッキ本体１とを強固に固定することができる。
【００２３】
以上、本発明の実施例を説明したが、本発明のタイルデッキの構成は、この実施例の記載に限定されるものではなく、その趣旨を逸脱しない範囲において適宜に変更することが可能である。
【００２４】
【発明の効果】
本発明のタイルデッキによれば、デッキ本体にタイル側に貫通する係止孔を形成し、該係止孔に機械的に係合する固定片を配設するとともに、該固定片とタイルとを接着剤を介して接着し、タイルとデッキ本体とを分離不可能に固定することから、デッキ本体の接着性が悪くてもタイルとデッキ本体とを簡単かつ強固に固定することができる。
【００２５】
この場合、前記固定片の先端に接着面を形成し、該接着面とタイルとを接着することにより、固定片とタイルを接着剤の接着力により固定し、タイルとデッキ本体とを強固に固定することができる。
【図面の簡単な説明】
【図１】本発明のタイルデッキの第１実施例を示す要部の分解断面図である。
【図２】同実施例の固定片によるタイルの固定を示す断面図である。
【図３】本発明のタイルデッキの第２実施例の固定片によるタイルの固定を示す断面図である。
【符号の説明】
１    デッキ本体
１１  脚部
２    タイル
３    係止孔
３１  大径部
３２  小径部
３３  縁部
４    固定片
４１  大径部
４２  小径部
４３  フランジ部
４４  段部
５    接着面
６    接着剤
【図１】
2004232327.tif 000003
【図２】
2004232327.tif 000004
【図３】
2004232327.tif 000005